(57)【要約】      （修正有）【課題】チャンネルの切替等の操作性を犠牲にすることなく、ノイズによる干渉を受けない良好なテレビジョン放送を行うことが可能なテレビジョン受信機を提供する。【解決手段】アナログ放送の各チャネルを表示する際、マイコン１６ａにより電源回路１７からノイズ発生源への電源の供給の遮断を制御する。これにより、ノイズによる影響を低減したいアナログチャネルとノイズの影響を受けないチャネルを区別し、且つノイズの影響を受けないチャネルに対しては通常の操作性を保障する。【選択図】図１
2008109444.tif 000002
【特許請求の範囲】
【請求項１】
アナログ放送を画面に表示するアナログ放送表示回路と、
ディジタル放送を画面に表示するディジタル放送表示回路と、
データの再生または記録を行う録画再生装置とを有するテレビジョン受信機において、  上記ディジタル放送表示回路と上記録画再生装置への電源の供給を制御するマイコンと、
上記マイコンが起動するためのテーブルとプログラムとを記録する不揮発性メモリと、  リモコン装置に配置され、上記マイコンへ指示を送信するノイズ低減キーとを有し、
上記不揮発性メモリは、アナログ放送の各チャンネルと、上記マイコンが行う電源供給の制御とを対応付ける電源遮断選択テーブルと、
上記ノイズ低減キーの操作に基づいて、上記電源遮断選択テーブルにより対応付けられたチャンネルが放送された際、上記マイコンによるディジタル放送表示回路、または録画再生装置への電源供給の遮断を指示して上記ディジタル放送表示回路または録画再生装置から発生するノイズの上記アナログ放送表示回路への影響を制御するノイズ低減プログラムとを記録することを特徴とするテレビジョン受信機。
【請求項２】
アナログ放送を画面に表示するアナログ放送表示回路と、
ディジタル放送を画面に表示するディジタル放送表示回路とを有するテレビジョン受信機において、
上記ディジタル放送表示回路への電源の供給を遮断する電源遮断手段と、
アナログ放送の各チャンネルと、上記電源遮断手段が行う電源供給の遮断とを対応付ける電源遮断選択手段と、
ユーザからの操作を基に、上記電源遮断選択手段により対応付けられたチャンネルが放送された際、上記電源遮断手段によるディジタル放送表示回路への電源供給の遮断を指示して上記ディジタル放送表示回路からのノイズの発生を制御する制御手段とを有することを特徴とするテレビジョン受信機。
【請求項３】
テレビジョン放送を画面に表示する放送表示回路と、
データの再生または記録を行う録画再生装置とを有するテレビジョン受信機において、  上記録画再生装置への電源の供給を遮断する電源遮断手段と、
テレビジョン放送の各チャンネルと、上記電源遮断手段が行う電源供給の遮断とを対応付ける電源遮断選択手段と、
ユーザからの操作を基に、上記電源遮断選択手段により対応付けられたチャンネルが放送された際、上記電源遮断手段による録画再生装置への電源供給の遮断を指示して上記録画再生装置からのノイズの発生を制御する制御手段とを有することを特徴とするテレビジョン受信機。
【請求項４】
上記録画再生装置は、取得した映像データを光ディスクに録画再生を行う光ディスク録画再生装置であることを特徴とする請求項３に記載のテレビジョン受信機。
【請求項５】
上記電源遮断選択手段は、画面上に表示するメニュー画面上で、電源遮断選択手段による電源の遮断と、チャンネルとを対応付けることを特徴とする請求項２〜請求項４のいずれか一項に記載のテレビジョン受信機。
【請求項６】
上記制御手段は、リモコン装置に配置されるノイズ低減キーの操作により、電源遮断選択手段による電源の遮断を実行することを特徴とする請求項２〜請求項５のいずれか一項に記載のテレビジョン受信機。
【発明の詳細な説明】
【技術分野】
【０００１】
テレビジョン放送を表示するテレビジョン受信機において、特に、内部より発生するノイズの影響を低減するテレビジョン受信機に関する。
【背景技術】
【０００２】
現在生産されているテレビジョン受信機は、２０１１年のディジタル放送への移行に対応可能なよう、アナログ放送とディジタル放送とを表示可能な構成としている。ディジタル放送は、アナログ放送に比べ、復調の仕組みや信号処理の手法が異なるため、通常は、アナログ放送を画面に表示するための回路と、ディジタル放送を画面に表示するための回路を別々に有している。
【０００３】
通常、リモコン装置等を用いて、チャンネルの切替を行う場合、アナログ放送のチャンネルからディジタル放送のチャンネルへの切替がスムーズに行うことができるよう、アナログ放送を画面で表示する場合でもディジタル放送を表示する回路は電源の供給を受け駆動し続けている。そのため、上述した、アナログ放送とディジタル放送とを表示するための２つの回路を有するテレビジョン受信機においては、ディジタル放送用の回路からノイズが輻射され、アナログ放送用の回路に悪影響を及ぼす場合があった。
【０００４】
さらに、テレビジョン受信機は、現在テレビジョン放送を画面に表示するだけに留まらず、筺体内に、光ディスク用いて録画再生する光ディスク録画再生装置や、取得したデータを録画再生するＨＤＤ等を内蔵している。上述した録画再生装置も、ディジタル放送用の回路と同様、機能の切替を素早く行うことができるようアナログ放送再生時にも電源が供給され続けている。そのため、録画再生装置から輻射されるノイズによる悪影響も無視できない状態である。
【０００５】
アナログ放送とディジタル放送とを表示可能なテレビジョン受信機において、ディジタル放送を表示するための回路から輻射されるノイズによるアナログ放送を表示する回路への悪影響を防止する方法として、以下の方法が開示されている。つまり、アナログ放送を画面に表示する場合は、ディジタル放送用の回路への電源供給を遮断して、ディジタル放送用の回路から輻射されるノイズを防止する（例えば、特許文献１、特許文献２、特許文献３参照。）。
【０００６】
また、ＤＶＤ記録再生装置とディジタル放送受信装置とを内蔵したテレビジョン受信機において、ディジタル信号系の基板とアナログ信号系の基板の位置を工夫して、周波数干渉を防止する方法が開示されている（例えば、特許文献４参照。）。
【特許文献１】実用新案登録第３１１９１０１
【特許文献２】再公表特許Ｗ０９９／６５１４９
【特許文献３】特開２００５−３４１２７１
【特許文献４】特開２００６−４２２６０
【発明の開示】
【発明が解決しようとする課題】
【０００７】
上述した特許文献１、特許文献２、特許文献３の発明は、次のような課題があった。つまり、上記した特許文献１、２、３の各発明は、アナログ放送表示時に、ディジタル放送用の回路への電源供給を遮断する構成である。そのため、アナログ放送表示時から、ディジタル放送を表示させた場合、ディジタル放送用の回路に再度電源を供給する必要がある。このとき、電源の際供給に係る時間だけでなく、駆動シーケンスによる遅延、さらにはデータの初期化や再読み込みといった処理のため、切替にかかる時間がディジタル放送用回路に電源を供給し続ける場合よりも長くなる。そのため、アナログ放送からディジタル放送へのチャンネルの切替をスムーズに行えなくなる問題があった。
【０００８】
また、特許文献２の発明は、次のような課題がった。つまり、ディジタル信号系の基板とアナログ信号系の基板配置を別々に設け、各基板同士を周波数干渉しないように配置する必要があるため、配置方法や設計方法に無理が生じることがある。特に、基板配置面積を十分に取れない小型のテレビジョン受信機では、基板を別々に設け且つ基板同士が周波数干渉しないように配置するのが不可能である場合があった。
【０００９】
本発明は、上記課題にかんがみてなされたもので、チャンネルの切替等の操作性を犠牲にすることなく、ノイズによる干渉を受けない良好なテレビジョン放送を行うことが可能なテレビジョン受信機の提供を目的とする。
【課題を解決するための手段】
【００１０】
上記課題を解決するために、本発明の請求項２にかかる発明では、アナログ放送を画面に表示するアナログ放送表示回路と、ディジタル放送を画面に表示するディジタル放送表示回路とを有するテレビジョン受信機において、
上記ディジタル放送表示回路への電源の供給を遮断する電源遮断手段と、アナログ放送の各チャンネルと、上記電源遮断手段が行う電源供給の遮断とを対応付ける電源遮断選択手段と、ユーザからの操作を基に、上記電源遮断選択手段により対応付けられたチャンネルが放送された際、上記電源遮断手段によるディジタル放送表示回路への電源供給の遮断を指示して上記ディジタル放送表示回路からのノイズの発生を制御する制御手段とを有する構成としている。
【００１１】
上記のように構成した発明では、電源遮断選択手段により対応付けされたチャンネルが放送された際、ユーザからの操作を基に制御部にて上記電源遮断手段がディジタル放送表示回路へ供給する電源を遮断する。これにより、アナログ放送の各チャンネルの表示に対してディジタル放送表示回路へ供給する電源を遮断することで、各チャンネルに応じたノイズの低減を実施することが可能となる。つまり、ユーザが所定のチャンネルがノイズの影響を受けていると感じた場合のみ、ディジタル放送表示回路への電源供給を遮断して、ノイズの低減を実施することが可能となる。ここで、アナログ放送表示回路およびディジタル放送表示回路とは、受信したテレビジョン放送のアナログ放送、またはディジタル放送を復調して、所定の信号処理を行う回路である。
【００１２】
これにより、ノイズの干渉を受けないチャンネルに対しては、ディジタル放送表示回路は電源を供給された対機状態であるため、チャンネルがアナログ放送からディジタル放送に切り替わった際も迅速に切り替えることが可能となる。そのため、チャンネルの切替等の操作性を犠牲にすることなく、ノイズによる干渉を受けない良好なテレビジョン放送を行うことが可能となる。
【００１３】
また、ノイズによる影響は、上述したディジタル放送表示回路だけに限定されず、データの再生または記録を行う録画再生装置から輻射される場合も考えられる。そこで、請求項３に記載の発明では、テレビジョン放送を画面に表示する放送表示回路と、データの再生または記録を行う録画再生装置とを有するテレビジョン受信機において、
上記録画再生装置への電源の供給を遮断する電源遮断手段と、テレビジョン放送の各チャンネルと、上記電源遮断手段が行う電源供給の遮断とを対応付ける電源遮断選択手段と、ユーザからの操作を基に、上記電源遮断選択手段により対応付けられたチャンネルが放送された際、上記電源遮断手段によるモジュールへの電源供給の遮断を指示して上記モジュールからのノイズの発生を制御する制御手段とを有する構成としている。
【００１４】
上記のように構成した発明では、電源遮断選択手段により対応付けされたチャンネルが放送された際、ユーザからの操作を基に制御部にて上記電源遮断手段が録画再生装置へ供給する電源を遮断する。これにより、アナログ放送の各チャンネルの表示に対して録画再生装置へ供給する電源を遮断することで、各チャンネルに応じたノイズの低減を実施することが可能となる。つまり、ユーザが所定のチャンネルがノイズの影響を受けていると感じた場合のみ、録画再生装置への電源供給を遮断して、ノイズの低減を実施することが可能となる。
【００１５】
そして、録画再生装置の具体的な構成として請求項４に記載の発明では、上記録画再生装置は、取得した映像データの録画再生を光ディスクに行う光ディスク録画再生装置である構成としている。
上記のように構成した発明では、光ディスク録画再生装置から輻射されるノイズを低減することが可能となる。
【００１６】
また、電源遮断選択手段の具体的な構成として請求項５に記載の発明では、上記電源遮断選択手段は、画面上に表示するメニュー画面上で、電源遮断選択手段による電源の遮断とチャンネルとを対応付ける構成としている。
上記のように構成した発明では、画面に表示されたメニュー画面にて電源の遮断を実行するチャンネルを選択するため、ユーザは画面上で簡易にノイズ低減のための設定を行うことが可能となる。
【００１７】
そして、制御手段が電源遮断手段に電源供給の遮断を実施する方法の一例として請求項６に記載の発明では、上記制御手段は、リモコン装置に配置されるノイズ低減キーの操作により、電源遮断選択手段による電源の遮断を実行するチャンネルを選択する構成としてある。
上記のように構成された発明では、リモコン装置に配置されたノイズ低減キーを操作することにより、表示されたチャンネルに対するノイズの低減を実行する。そのため、ユーザはノイズを低減するのに、ノイズ低減キーの操作するだけであるため、簡易な操作によりノイズの低減を行うことができる。
【００１８】
さらに、上記課題を解決するための具体的な構成の一例として、本発明の請求項１にかかる発明では、アナログ放送を画面に表示するアナログ放送表示回路と、ディジタル放送を画面に表示するディジタル放送表示回路と、データの再生または記録を行う録画再生装置とを有するテレビジョン受信機において、
上記ディジタル放送表示回路と上記録画再生装置への電源の供給を制御するマイコンと、上記マイコンが起動するためのテーブルとプログラムとを記録する不揮発性メモリと、リモコン装置に配置され、上記マイコンへ指示を送信するノイズ低減キーとを有し、上記不揮発性メモリは、アナログ放送の各チャンネルと、上記マイコンが行う電源供給の制御とを対応付ける電源遮断選択テーブルと、上記ノイズ低減キーの操作に基づいて、上記電源遮断選択テーブルにより対応付けられたチャンネルが放送された際、上記マイコンによるディジタル放送表示回路、または録画再生装置への電源供給の遮断を指示して上記ディジタル放送表示回路または録画再生装置から発生するノイズの上記アナログ放送表示回路への影響を制御するノイズ低減プログラムとを記録する構成としている。
【００１９】
上記のように構成した発明において、マイコン並びに電源遮断選択テーブルとが電源遮断選択手段に対応する。また、マイコン並びにノイズ低減プログラムとが制御手段に対応している。
【発明の効果】
【００２０】
以上説明したように本発明によれば、チャンネルの切替等の操作性を犠牲にすることなく、ノイズによる干渉を受けない良好なテレビジョン放送を行うことが可能となる。
そして請求項４にかかる発明によれば、光ディスク録画再生装置から輻射されるノイズを低減することが可能となる。
さらに請求項５にかかる発明によれば、ユーザは画面上で簡易にノイズ低減のための設定を行うことが可能となる。
また請求項６にかかる発明によれば、簡易な操作によりノイズの低減を行うことができる。
さらに請求項１のような、より具体的な構成において、上述した請求項２〜請求項６の各発明と同様の作用を奏することはいうまでもない。
【発明を実施するための最良の形態】
【００２１】
以下、下記の順序に従って本発明の実施の形態でのテレビジョン受信機を説明する。
（１）実施の形態
（１−１）テレビジョン受信機の構成
（１−２）ノイズ低減方法
（２）まとめ
【００２２】
（１）実施の形態
（１−１）テレビジョン受信機の構成 
以下、図１〜図４を参照して、この発明に係るテレビジョン受信機を具体化した第１の実施の形態について説明する。図１は、テレビジョン受信機の構成を表すブロック図である。同図より、テレビジョン受信機１０は、テレビジョン放送や外部からのデータを取得して、映像や音声を出力するためのものである。また、本発明のテレビジョン受信機１０は、録画再生装置として、ＤＶＤ等の光メディアを用いてデータの録画再生を行う光ディスク録画再生装置１８や、テレビジョン受信機１０が取得したデータの記録を行うＨＤＤ１９とを有する。
【００２３】
以下にテレビジョン受信機１０の構成と機能とを説明する。テレビジョン受信機１０は、映像を表示する表示パネル１４と、音声を出力するスピーカ１５と、当該テレビジョン受信機１０を遠隔操作するリモコン装置３０と、アンテナ２０が受信したテレビジョン放送を基に、リモコン装置３０にて選択されたチャンネルに対応する映像信号と音声信号とを復調するチューナ部１１と、チューナ部１１が復調した映像信号と音声信号から映像および音声が出力できるよう信号処理を施す信号処理部１２と、信号処理部１２から出力された映像信号並びに音声信号を基に表示パネル１４の各画素に対応した映像データに変換するスケーラ部１３と、上述した各構成要素を制御する制御部１６と、商用電源から安定化電源を生成して上記各構成要素に電源を供給する電源回路１７とから構成されている。  
【００２４】
チューナ部１１は、ディジタル放送とアナログ放送の両方を受信可能な構成としている。そのため、チューナ部１１は、アンテナ２０が受信したディジタル放送を復調可能なディジタルチューナ部１１ａと、アンテナ２０が受信したアナログ放送を復調可能なアナログチューナ部１１ｂとを有している。ディジタルチューナ部１１ａとアナログチューナ部１１ｂとの切替は、リモコン装置３０の操作により各チャンネルを選択することで、制御部１６による制御の基自動で切替が行われる。
【００２５】
また、信号処理部１２は、ディジタルチューナ部１１ａが復調したディジタル放送のデータに所定の信号処理を実行するディジタル信号処理部１２ａ（ディジタル放送表示回路）と、アナログチューナ部１１ｂが復調したアナログ放送のデータに所定の信号処理を実行するアナログ信号処理部１２ｂ（アナログ放送表示回路）とを有している。ディジタル信号処理部１２ａから出力される信号と、とアナログ信号処理部１２ｂから出力される信号との切替は、制御部１６から出力される切替信号によりＳＷ１により切替られ、スケーラ部１３へと出力される。
【００２６】
スケーラ部１３は、信号処理部１２から出力された信号を、表示パネル１４を構成する各画素に対応するようスケーリング処理を行うためのものである。また、本実施の形態でのスケーラ部１３は、画面上にメニュー画面を表示するためのＯＳＤ回路１３ａを実装している。ＯＳＤ回路１３ａは、制御部１６から指示に基づいて、予め記録された映像データを信号処理部１２から入力された信号に重畳して画面上にメニュー画面を表示する。なお、ＯＳＤ回路１３ａの位置はスケーラ部１３に限定されず、制御部１６に実装されるものでも、単独で配置されるものであってもよい。
【００２７】
電源回路１７は、商用電源１００から供給される交流電源を基に、安定化電源を生成してテレビジョン受信機１０を構成する各構成要素に電源を供給する。また、各構成要素に供給される電源は、制御部１６にて制御されている。本発明の実施の形態では、例えば、信号処理部１２のディジタル信号処理部１２ａはＳＷ４を介して電源回路１７と接続し、光ディスク録画再生装置１８さらにはＨＤＤ１９とはＳＷ２、ＳＷ３を介して電源回路１７と接続している。制御部１６は、上述した各ＳＷ２、ＳＷ３、ＳＷ４に制御信号を出力することにより、電源回路１７からの電源の供給を制御する。なお、ＳＷ１〜４の具体的な構成としては制御部１６からの制御信号を受けて、切替等の駆動を行うＩＣやトランジスタ等が上げられる。また、ＩＣ内の内部ロジックにより構成するものであってもよい。  
【００２８】
制御部１６は、リモコン装置３０からの指示等に基づいて、テレビジョン受信機１０の制御を行う。そのため、制御部１６は、演算処理を実行するマイコン１６ａと、マイコン１６ａが演算を実行するためのテーブルやプログラムを記録する不揮発性メモリとしてのＲＯＭ１６ｂと、マイコン１６ａのワークテーブルであるＲＡＭ１６ｃと、リモコン装置３０からの操作信号を受け付けて、マイコン１６ａに出力するリモコンＩ／Ｆ１６ｄとを有する構成である。
【００２９】
上述した構成により、テレビジョン受信機１０は、リモコン装置３０の操作に基づいた制御部１６での制御により、チューナ部１１が復調したチャンネルに対応するデータ並びに光ディスク録画再生装置１８やＨＤＤ１９からデータを表示パネル１４に出力して映像を表示する。同様にスピーカ１５に出力して音声を出力する。また、本発明のテレビジョン受信機１０は、アナログ放送受信時に発生するノイズによる影響を低減することが可能である。以下に本発明のテレビジョン受信機１０によりアナログ放送受信時のノイズによる影響の低減方法を説明する。
【００３０】
（１−２）ノイズ低減方法
本発明のテレビジョン受信機１０は、アナログ放送受信時におけるノイズによる影響を低減する。また、ノイズの原因として、アナログ放送を受信してデータの復調および信号処理を行う過程で、他の構成要素の駆動により発生するノイズを原因として上げることができる。そこで、本発明のテレビジョン受信機１０は、ノイズの発生源として、特に、ディジタル信号処理部１２ａ、光ディスク録画再生装置１８、さらにはＨＤＤ１９を対象としている。また、その際、各要素間の切替（アナログ放送取得からディジタル放送取得への切替、さらにはテレビジョン放送受信時から光ディスク録画再生装置１８並びにＨＤＤ１９への切替）に、できるだけ影響が起こらないことを配慮した構成としている。
【００３１】
上述した、本発明の機能を実施するため、制御部１６のＲＯＭ１６ｂにマイコン１６ａが、アナログ放送の所定のチャンネルを表示する際、ノイズの発生源であるディジタル信号処理部１２ａ、光ディスク録画再生装置１８、さらにはＨＤＤ１９への電源供給を停止してアナログ放送をノイズの影響から守るノイズ低減プログラムを記録する。これにより、テレビジョン受信機１０がアナログ放送の所定のチャンネルを表示する際、ユーザがノイズの影響を感じるとリモコン装置３０のノイズ低減キー３０ａの操作により、現在表示されているチャンネルに対して上述した手法によりノイズの影響を低減する。また、一度ノイズの低減を行うチャンネルを登録しておくことで、以後そのチャンネルが表示された際、ノイズの低減を自動で実行することが可能となる。
【００３２】
以下に本発明のノイズによる影響の低減をノイズ低減プログラムを中心として説明する。図２は、ノイズを低減する際、マイコン１６ａが実行するフローチャートである。同図より、リモコン装置３０を操作して、アナログ放送のチャンネルを選択すると（ステップＳ１００）、マイコン１６ａはチューナ部１１をアナログチューナ部１１ｂに切り替えて、アンテナ２０が受信したテレビジョン放送よりアナログ放送のデータを復調するよう指示を出す。次に、ユーザがリモコン装置３０に配置されたノイズ低減キー３０ａを操作すると、マイコン１６ａはリモコンＩ／Ｆ１６ｄより操作信号を受信する（ステップＳ１１０）。これにより、マイコン１６ａは、ＲＯＭ１６ｂに記録されたノイズ低減プログラム１６ｂ１を読み出す（ステップＳ１２０）。
【００３３】
ノイズ低減プログラム１６ｂ１は、マイコン１６ａにノイズの発生源であるディジタル信号処理部１２ａや、光ディスク録画再生装置１８、並びにＨＤＤ１９への電源の供給を制御させるものである。具体的には、ノイズ低減プログラム１６ｂ１は、マイコン１６ａに、ＳＷ２〜ＳＷ４のいずれかに制御信号を出力して、電源回路１７から各ノイズ発生源への電源の供給を遮断する（ステップＳ１３０）。通常、電源回路１７より、ディジタル信号処理部１２ａ、光ディスク録画再生装置１８、さらにはＨＤＤ１９へは常時電源の供給が行われている。これは、例えば、アナログ放送のチャンネルからディジタル放送のチャンネルに切り替える際、切替を迅速に行うことができるようにするためである。そのため、電源回路１７からの電源の供給を遮断することで、切り替えが行われた際、多少の遅延は発生することとなる。しかしながら、本発明の構成では、ノイズを低減するチャンネルを個別に設定するため、ノイズの低減を行わないチャンネルに対しては、ノイズ発生源に対して常時電源を供給し続ける。そのため、ノイズの低減を行う必要がないチャンネルに対しては通常通りの操作を行うことが可能である。
【００３４】
このとき、ノイズを低減したいアナログ放送のチャンネルと、ノイズの発生を抑えたい箇所とを対応付けて記録させることにより、次回より、登録されたアナログ放送が表示された状態でユーザがリモコン装置３０のノイズ低減キー３０ａを操作すると、マイコン１６ａが対応付けて記録されたデータを参照して、電源の供給を遮断するノイズ発生源を自動で選択することが可能となる。これにより、例えば、光ディスク録画再生装置１８から発生するノイズを低減させるだけでよい場合は、アナログ放送のチャンネルからディジタル放送へのチャンネルの切替は通常通りの速度で行うことが可能となり、操作性に対してきめ細かな設定を行うことが可能となる。
【００３５】
アナログ放送のチャンネルと電源の供給を停止するノイズ発生源とを対応付けて記録する方法の一例として、テーブル（電源遮断選択テーブル）により記録する方法が上げられる。図３は、一例としてのＲＯＭ１６ｂに記録されるテーブルを表す図である。同図より、テーブルは、図中左端より、ノイズの低減を行うアナログ放送のチャンネルを記録し、右側にそのチャンネルが表示された場合に電源の供給が停止される各ノイズ発生源が記録されている。具体的には、図中より、アナログ放送のチャンネル３に対して、ノイズ発生源としてディジタル放送モジュールが記録されている。ここで、ディジタル放送モジュールとは、ディジタル信号処理部１２ａを表す。また、チャンネル５に対して、光ディスク録画再生装置１８が記録されている。マイコン１６ａは、上記テーブルを参照することにより、テーブルに登録されたチャンネルが表示され、且つノイズ低減キー３０ａが操作された場合に、ノイズの発生源への電源の供給を停止する。
【００３６】
さらに、上述した、ノイズを低減するアナログチャンネルと、電源の供給を停止するノイズ発生源との組合せを行うに当たり、本発明の実施の形態では、メニュー画面上でユーザが上記組み合わせを行う構成としている。図４は、一例としてメニュー画面上で表示されるチャンネル／ノイズ発生源組合せ画面を表す図である。同図より、画面上に、ノイズ低減を行いたいチャンネルを表示する欄と、それに対応して右側に電源の供給を停止する箇所を選択する欄が表示される。ユーザは、例えばリモコン装置３０を操作して、上記各欄に選択するチャンネルと電源の供給を停止する箇所を記録させていくこととなる。
【００３７】
上述したように、ユーザがリモコン装置のノイズ低減キー３０ａを操作して、表示されたチャンネルのノイズの影響の低減を行った後、リモコン装置３０によりディジタル放送のチャンネルの選択、または光ディスク録画再生装置１８、ＨＤＤ１９の起動選択を行うと、マイコン１６ａは、上記指示を受付け（ステップＳ１４０）、遮断していた電源回路１７からの電源の供給を再開する（ステップＳ１５０）。これにより、ユーザは、ディジタル放送の視聴、光ディスク録画再生装置１８並びにＨＤＤの使用を通常通り行うことが可能となる。
（２）まとめ
【００３８】
以上説明したように、ノイズによるアナログ放送の影響を低減するため、アナログ放送の各チャネルを表示する際、マイコン１６ａにより電源回路１７からノイズ発生源への電源の供給の遮断を制御する。これにより、ノイズによる影響を低減したいアナログチャネルとノイズの影響を受けないチャネルを区別し、且つノイズの影響を受けないチャネルに対しては通常の操作性を保障する。このため、チャンネルの切替等の操作性を犠牲にすることなく、ノイズによる干渉を受けない良好なテレビジョン放送を行うことができる。
【００３９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４０】
【図１】テレビジョン受信機の構成を表すブロック図である。
【図２】ノイズを低減する際、マイコン１６ａが実行するフローチャートである。
【図３】一例としてのＲＯＭに記録されるテーブルを表す図である。
【図４】一例としてメニュー画面上で表示されるチャンネル／ノイズ発生源組合せ画面を表す図である。
【符号の説明】
【００４１】
１０…テレビジョン受信機、１１…チューナ部、１１ａ…ディジタルチューナ部、１１ｂ…アナログチューナ部、１２…信号処理部、１２ａ…ディジタル信号処理部、１２ｂ…アナログ信号処理部、１３…スケーラ部、１３ａ…ＯＳＤ回路、１４…表示パネル、１５…スピーカ、１６…制御部、１６ａ…マイコン、１６ｂ…ＲＯＭ、１６ｂ１…ノイズ低減プログラム、１６ｃ…ＲＡＭ、１６ｄ…リモコンＩ／Ｆ、１７…電源回路、１８…光ディスク録画再生装置、１９…ＨＤＤ、２０…アンテナ、３０…リモコン装置、３０ａ…ノイズ低減キー、１００…商用電源
【図１】
2008109444.tif 000003
【図２】
2008109444.tif 000004
【図３】
2008109444.tif 000005
【図４】
2008109444.tif 000006